(57)【特許請求の範囲】
【請求項１】
方形の床板を基礎床上に別体の支持材によって一定高さ浮かせて敷設する二重床構造において、この二重床構造が、下部に形成される平面視略正方形をした板体である接地部と、接地部のコーナー部に側方からの嵌込みによって履かせている弾性体とにより基礎床に安定に自立させられる支持材と、各コーナー部が集合して支持材の上部に形成される支持部に上下左右方向に位置決めされた状態で固定構造によって強固に固定される床板とで構成されるものであるとともに、接地部の外郭の一部又は全部は支持部の下方投影面からはみ出ており、かつ、支持材が基礎床に固定されることなく設置されるものであることを特徴とする二重床構造。
【請求項２】
支持材が高さ調整できるものである請求項１の二重床構造。
【請求項３】
支持材が高さ調整できないものである請求項１の二重床構造。
【請求項４】
床板が対角線部分に弱部が形成されたねじれ易い構造のものである請求項１〜３いずれかの二重床構造。
【発明の詳細な説明】
【０００１】
【発明の属する技術分野】
本発明は、床板を基礎床から一定高さ浮かせて敷設し、間に空間を確保する二重床構造に関するものである。
【０００２】
【従来の技術】
二重床は、ＯＡ機器等に必要な配線を床下空間に収容できることから、オフィスルーム等の床構造に多く採用されている。この二重床は、基礎床上に設置される支持材によって床板を一定高さ浮かせて敷設するものであるが、これには、支持材と床板とを別体に形成し、複数の方形床板の集合させたコーナー部を一個の支持材でまとめて支持するようにした独立支柱タイプのものが、機能性に優れており、比較的多く使用されている。
【０００３】
【発明が解決しようとする課題】
独立支柱タイプには、支持材を基礎床に接着剤等で固定するタイプと、固定しないタイプの二種類がある。前者の支持材を基礎床に固定するタイプのものは、いずれも高さ調節機能を有するが、これには、床板を支持材上に単に載置するだけのものと、集合する各床板のコーナー部を固定構造によって支持材に対して上下から挟着固定するもの（特公平５−４６４１８号公報）とがあり、又、後者の支持材を基礎床に固定しないものには、高さ調節機能を有し、各床板の集合するコーナー部を固定構造によって支持材に対して上下から挟着固定するもの（特開２０００−２５７２４３公報）と、高さ調節機能を有さず、床板を支持材上に単に載置するだけのものとがある。
【０００４】
【発明が解決しようとする課題】
前者の支持材を基礎床に固定するタイプのものは、固定の手間もさることながら、接着剤の使用によって作業環境を悪化させたり、養生のため工期を遅らせたりするといった問題点を有する。更に、床高さ変更等のために支持材を取り替える場合、支持材が簡単、かつきれいに取り外せず、しかも、取り外した後に基礎床の補修作業が必要となる問題点を有する。これらは、賃貸しオフィスビルにおいて近年流行の、借り手が代わる度に二重床の種類や高さを好みのものに入れ替える形態、いわゆるスケルトン貸しにとっては非常に都合の悪いものであった。
【０００５】
ところで、基礎床のコンクリートスラブは、うねりや傾斜による高低差（不陸）が多かれ少なかれ存在する。これに対して支持材の高さ調節機能は効果的であるが、基礎床表面の凹凸や傾斜によって支持材が傾いた状態で固定されてしまうと、床板と支持材上部の支持部とが斜めに接し、床板のガタ付きや床板間の段差を発生させてしまう。これを小さく抑えるためには、支持材下部の接地部の広がりを小さくして基礎床の凹凸や傾斜による影響を受け難くしたり、上部の支持部の広がりを小さくして支持材の傾きによる影響を受け難くしたりする必要がある。しかしながら、接地部の広がりを小さくすると支持材の強度を低下させるし、支持部の広がりを小さくすると床板の支持間隔を広げることになり、いずれにしても、床板の曲げ強度が低下してしまう。但し、広がりを小さくするといっても限界があるから、床板と支持部との間にシムを噛ませて調節する面倒な作業が必要な個所も発生する。
【０００６】
一方、後者の支持材を基礎床に固定しないタイプのものは、当然ながら、固定するが故に生じる前記した不具合は解消されるものの、特開２０００−２５７２４３公報に記載されているように、支持材と基礎床との間にガタ付きが生じないように支持材の接地部の広がりを極端に小さくしなければならない。よって、支持材は非常に安定性が悪く、床板を載せる際に倒れたり、配線工事で床板を取り外した状態のときにケーブルが当たって倒れたりといった不具合が起こり、実用的ではない。更に、前記したとおり、接地部の広がりが小さいと、支持材の強度が低下し、床板の曲げ強度も低下する。
【０００７】
又、後者のタイプのうち、高さ調節機能を持たない支持材に単に床板を載置しただけのものでは、接地部を三点接地構造にすることで基礎床とのガタ付き防止を図っているが、支持材が基礎床の凹凸や傾斜に沿って傾いた状態で設置されることに加え、高さ調節機能を有していないことから、段差やガタ付きがより顕著に現れる。よって、支持材の支持部や接地部の広がりを小さくしてシム調整を行う必要があるのは前者のタイプと同じであり、更に、床板のサイズを小さくする等して基礎床に沿わせ易くしなければ対処できず、基礎床にハイレベルな仕上げ精度が要求されるものである。
【０００８】
【課題を解決するための手段】
以上の課題の下、本発明は、請求項１に記載した、方形の床板を基礎床上に別体の支持材によって一定高さ浮かせて敷設する二重床構造において、この二重床構造が、下部に形成される平面視略正方形をした板体である接地部と、接地部のコーナー部に側方からの嵌込みによって履かせている弾性体とにより基礎床に安定に自立させられる支持材と、各コーナー部が集合して支持材の上部に形成される支持部に上下左右方向に位置決めされた状態で固定構造によって強固に固定される床板とで構成されるものであるとともに、接地部の外郭の一部又は全部は支持部の下方投影面からはみ出ており、かつ、支持材が基礎床に固定されることなく設置されるものであることを特徴とする二重床構造を提供する。
【０００９】
本発明は、支持材を基礎床へ接着剤等で固定しないのであるから、施工の手間が省けるのはもちろんのこと、取外しの際の手間と取外し後の基礎床の修復作業を不要とする。そして、固定構造によって支持材の支持部に床板が上下左右方向に位置決めされた状態で強固に固定されることにより、床板と支持材とが僅かな弾性変形を伴って一体化され、床板間の段差やガタ付きを吸収する。言わば、従来のものが基礎床の凹凸や傾斜に起因した支持材の傾きによる床板のガタ付きや床板間の段差調整に苦労していたのに対して、本発明のものは基礎床に固定しない支持材に床板を固定構造で固定することにより支持材の傾きを抑え、段差やガタ付き調整を容易にしたものと言える。従って、支持材は、支持部及び接地部とも、広がりを十分に大きくすることが可能であり、支持材と床板の双方にとって強度上都合がよく、しかも、安定に自立するため、床板の敷込み作業や配線作業も容易である。加えて、接地部の外郭の一部又は全部は支持部の下方投影面からはみ出ているのであるから、支持部に偏荷重がかかっても転倒し難い。
【００１０】
又、この場合、支持材の接地部には弾性体が取り付けられるのであるから、荷重がかかって接地部が基礎床から浮いている個所が接地した場合も音鳴り等は生じないし、このときの隙間は大きなものでも２ｍｍ程度であるから、ふわふわして歩行感を損なうようなこともない。この場合、弾性体は接地部の周囲に分散させた状態であるから、弾性体が存在しない部分は基礎床から浮いた状態であり、大きなガタが防がれる。尚、この支持材には、請求項２に記載の支持材が高さ調整できるもの、請求項３に記載の支持材が高さ調整できないもの、とがあるが、本発明では、そのいずれであってもよい。
【００１１】
更に、このときに使用される床板は、請求項４に記載の対角線部分に弱部が形成されたねじれ易いものにするのが適する。このような床板を本発明の二重床構造に用いると、床板のガタ付きを吸収することが可能になる。
【００１２】
要するに、本発明は、支持材を基礎床に固定することによる弊害をなくしてその利点を享受するとともに、支持材を基礎床に固定しないことによる不具合を別の手法で解決し、トータルとして優れた二重床構造を具現したものである。
【００１３】
【発明の実施の形態】
以下、本発明の実施の形態を図面を参照して説明する。図１は本発明の第一の実施の形態を示す二重床構造の断面図であるが、この二重床構造は、コンクリートスラブ等で構成される基礎床１と、基礎床１上に置かれる高さ調整が可能な支持材２と、支持材２で支持される床板３とからなり、基礎床１と床板３との間に配線空間４が確保されるものである。尚、床板３は、一辺が５００ｍｍ前後の一般的な方形のものを用いればよいが、これについては後で詳述する。
【００１４】
図２は支持材２と床板３との関係を示す斜視図、図３は断面図であるが、支持材２は、基礎床１に接地する接地部５と、床板３を上方で支持する支持部６とを有しており、本例のものは、接地部５は平面視略正方形をした板体であり、この中心からネジ棒７を起立させてカップ体８を螺合するとともに、このカップ体８に床板３を水平方向に位置規制した状態で支持する床板受け９を収容載置して支持部６に構成している。このとき、床板受け９には、ネジ棒７の周囲に一定の間隙１０が形成されており、この間隙１０に後述する固定ネジ１４が螺入される。これにより、基礎床の不陸、特に、全体のうねりや傾斜による高低差に応じてカップ体８の高さを変え、支持される床板３のレベルを出す。この場合、接地部５は支持部６に対して外方へ十分な広がりをもって形成され、床板３の敷込み作業や床板３を取り外しての配線作業に際して支持材２が倒れることのないようにしている。
【００１５】
接地部５にはゴム等の弾性体１１が取り付けられるが、本例では、接地部５の各コーナー部に靴状の弾性体１１を側方からの嵌込みによって周囲に分散させた状態で履かせている。従って、弾性体１１が存在しない部分は基礎床１から浮いた状態であり、これで大きなガタを防いでいる。床板３は、支持部６で支持されるとともに、固定構造１２で固定される（締め付けられる）が、具体的には、床板３のコーナー部に四半円形の落ち込み段部１３を形成して床板受け９に載せ、落ち込み段部１３から間隙１０へ固定ネジ１４を挿入するとともに、ネジ棒７に螺入して下方に押し付けている。これにより、一個の固定ネジ１４で四個の床板３のコーナー部が同時に固定されることになる。このとき、固定ネジ１４は落ち込み段部１３から上方には突出しない。
【００１６】
以上の支持材２によると、その接地部５は基礎床１に固定されていないのであるから、固定構造１２で床板３を固定するとき、床板３に床板受け９が沿うことになるが、このとき、床板３が僅かにずれたり、床板３が弾性変形をしたりして床板受け９に床板３が沿うから、支持材２は鉛直に起立させられて傾きが修正され、固定ネジ１４が締め込み易い。
【００１７】
この場合、支持材２の接地部５は弾性体１１を介して部分的に接地するものがある。従って、この上を人が歩いたりして荷重がかかると、この部分の接地部５は弾性変形して接地することになるが、このとき、接地部５には弾性体１１が取り付けてあるから、音が発生したりしない。同時に、床板３は僅かに落ち込む感じになるが、この感じも弾性体１１によって軽減されるし、通常、落ち込みは２ｍｍ程度以下であるから、歩行感を損なうようなことはない。
【００１８】
図４は支持材２の他の例を示す断面図であるが、本例のものは、接地部５の中心に基礎床１に接地する突起部１５を形成したものである。これによると、基礎床１に対して支持材２が傾斜して立っていても、床板３を載置すれば、弾性体１１の変形によって支持材２が突起部１５を支点に傾動するのを許容するから、支持部６が床板３に沿った状態となり、固定ネジ１４が締め込み易い。もっとも力がかかるネジ棒７の先をこの突起部１５が受けることになるから、接地部５が変形し難く、床板の曲げ強度も向上する。
【００１９】
図５も支持材２の他の例を示す断面図であるが、本例のものは、接地部５の中心に基礎床１に接地する下向きの突起を周囲に複数設けた円板体１６を形成したものである。図６も支持材２の他の例を示す断面図であるが、本例のものは、接地部５の中心近くに基礎床１に接地する楔体１７を下方への切り起こしによって複数形成したものである。両者とも、円板体１６及び楔体１７によって図４の例の突起部１５と同様の機能を発揮するとともに、基礎床１に対する回り止め機能を有することから、カップ体８を回しての高さ調整や固定ネジ１４のネジ棒７への締付けのときに接地部５が一緒に回転するのを規制する。このとき、弾性体１１は滑り止めの効果を有しており、円板体１６や楔体１７がない場合であっても接地部５が容易に回転するようことはない。又、円板体１６や楔体１７が基礎床１から浮いた状態で設置されたとしても、中心近くに設けているため、隙間は僅かであるし、弾性体１１が緩衝材の役割をするから、床板３に荷重がかかって基礎床１に接地して音が生じるような心配はない。この点で、図４〜図６の例における弾性体１１は主として緩衝作用を受け持つものであり、床板３にかかる荷重を全面的に担うものではない。
【００２０】
図７は本発明の第二の実施の形態を示す二重床構造の断面図であるが、本例の二重床構造も、基礎床１、支持材２及び床板３とで構成される点は変わらないが、支持材２が高さ調整不能なものである。支持材２が絞り成形等で製作できることから、製作コストが安価な利点がある。尚、支持材２が接地部５と支持部６とを有し、接地部５には弾性体１１を取り付け、支持部６には固定構造１２が施される点も変わらない。
【００２１】
図８はこの支持材２と床板３との関係を示す断面図であるが、この支持材２は、上端が閉じた円筒形をしたカップ体８に接地部５が直接一体に形成されたものであり、その下端の四方部分を外方に略水平に折り曲げて周囲に分散された接地部５に形成し、上端中央にネジ棒７を起立させるとともに、その周囲に床板３を水平方向に位置規制した状態で支持する床板受け９を載置して支持部６に形成している。そして、接地部５には弾性体１１を取り付けること、支持部６に設けられる固定構造１２が固定ネジ１４等によるものであることは上記した例と同じである。尚、本例の支持材２では、床板受け９の上面に床板３の底面に形成された孔に入り込むピン１８を突設して床板の水平方向の位置ずれを抑制している。
【００２２】
この支持材２による床板３の支持構造も上記した例のものと同じである。但し、支持材２が高さ調整できないものであるから、床板３全体が基礎床１の不陸にある程度沿ったうねりを有するものになる。しかし、上記した固定ネジ１４による締込みによって床板３のガタ付きや床板３間の段差が吸収できる点はより顕著になり、支持材２が上方へ自由に動いて他の支持材２のレベルに沿うのを許容するから、床板３全体のレベル度が高くなる。
【００２３】
図９はこのタイプの支持材２の他の例を示す断面図であるが、本例のものは、カップ体８の上面が下方へ窪んだ球面形状をしており、この上に載る床板受け９の下面がこの球面に略適合した球面に形成されているのが特徴である。ネジ棒７及び床板受け９がカップ体８に対して傾くことができるから、基礎床１の不陸にかかわらず、接地部５を沿わせることができ、床板３支持の安定度を高めるとともに、支持部６が床板３に沿って固定ネジ１４が締め込み易い。
【００２４】
図１０も同じく支持材２の他の例を示す斜視図であるが、本例のものは、カップ体８を敷皿１９で受けたものであり、このとき、相互に接触するカップ体８の下面と敷皿１９の上面に複数の段部２０を形成し、この段の組合せを変えることで高さ調整ができるようにしたものである。言わば、簡易な高さ調整式のものということができ、床板３全体のレベル度を更に高める。尚、本例では、敷皿１９の底部が接地部５ということになり、この周囲に弾性体１１を一体に取り付けることになる。
【００２５】
ところで、上記各例において、支持材２における接地部５は支持部６に対して十分な広がりもつと述べてきたが、具体的にいうと、接地部５の外郭の一部又は全部は支持部６の下方投影面からはみ出ていることが望ましい。こうすることで、支持材２の配置作業等に際して支持部６に物を当てたとき或いは床板３の敷込み作業等に際して支持部６の一部に床板３を載せて偏荷重にしたとき等、支持材２が転倒し難い効果が期待できるからである。例えば、一辺５００ｍｍ角の床板３の場合、支持部６の直径は６０〜１５０ｍｍ、接地部５の直径はそれよりも大きな範囲で９０〜１８０ｍｍ程度のものが適する。
【００２６】
図１１は本発明に係る二重床構造に用いる床板３の一例を示す底面図、図１３はそのＡーＡ断面図であるが、上記各実施例において、床板３は５００ｍｍ角前後の方形のものを用いてもよいが、これにおいて、次のような構造のものを用いると、より効果的になる。この床板３はフラットな表面板２１と縁付き容器状に絞り成形した裏面板２２とを周囲でかしめて一体化した構造である。裏面板２２の内部には頂部が表面板２１に当接する多数の絞り凸部２３を前面に整列させて設け、その頂部においても表面板２１にかしめ固定して耐荷重性を高めた構造である。このとき裏面板２２の一方の対角線上には所定幅に亘って絞り凸部２３を形成しない弱部２４を形成し、固定構造１２で床板３を固定する際にねじれ易くして固定ネジ１４が締め込み易い構造にしている。
【００２７】
図１３は更に他の床板３の一例を示す底面図、図１４はそのＢーＢ断面図であるが、本例の床板３も、フラットな表面板２１と縁付き容器状に絞り成形した裏面板２２とを周囲でかしめて一体化した構造であるが、裏面板２２には絞り凸部２３を形成せずフラットな底部に形成し、表裏面板２１、２２間にコア材２５を挟み込んで挟着固定して耐荷重性を高めた構造である。本例の床板３では、コア材２５の一方の対角線上に裏面側から凹溝を設けて弱部２４に形成している。
【００２８】
【発明の効果】
以上、本発明によれば、支持材を基礎床に固定しないことによって、施工が容易となるのはもちろん、改装等に際して支持材の取外しが必要になったときも、その作業が容易になるとともに、取り外した後の基礎床の修復作業も不要になる。又、床板の各コーナー部を固定構造によって支持材に固定し易い。更に、支持材の接地部に弾性体が取り付けられていることによって支持材が基礎床上に浮いているような場合であっても、音鳴り等は生じない。加えて、支持材は従来のものに比べて接地部及び支持部ともに大きく設定することが可能となり、支持材が安定に自立して施工性もよく、床板強度も向上する。
【図面の簡単な説明】
【図１】本発明の第一の実施の形態を示す二重床構造の断面図である。
【図２】本発明の一例に係る支持材と床板の関係を示す斜視図である。
【図３】本発明の一例に係る支持材と床板の関係を示す断面図である。
【図４】本発明の他の一例に係る支持材の断面図である。
【図５】本発明の他の一例に係る支持材の断面図である。
【図６】本発明の他の一例に係る支持材の断面図である。
【図７】本発明の第二の実施の形態を示す二重床構造の断面図である。
【図８】本発明の他の一例に係る支持材と床板の関係を示す断面図である。
【図９】本発明の他の一例に係る支持材の断面図である。
【図１０】本発明の他の一例に係る支持材の斜視図である。
【図１１】本発明の他の一例に係る床板の平面図である。
【図１２】本発明の他の一例に係る床板の断面図である。
【図１３】本発明の他の一例に係る床板の平面図である。
【図１４】本発明の他の一例に係る床板の断面図である。
【符号の説明】
１    基礎床
２    支持材
３    床板
５    接地部
６    支持部
１１  弾性体
１２  固定構造
２２  弱部
【図１】
0004530242.tif 000002
【図２】
0004530242.tif 000003
【図３】
0004530242.tif 000004
【図４】
0004530242.tif 000005
【図５】
0004530242.tif 000006
【図６】
0004530242.tif 000007
【図７】
0004530242.tif 000008
【図８】
0004530242.tif 000009
【図９】
0004530242.tif 000010
【図１０】
0004530242.tif 000011
【図１１】
0004530242.tif 000012
【図１２】
0004530242.tif 000013
【図１３】
0004530242.tif 000014
【図１４】
0004530242.tif 000015